(57)【要約】【課題】荷物の並列状態に応じた調整が容易で、取り付け・取り外し作業を簡単に行うことができ、しかも軽量且つ安価であると共に、前述した苗運搬容器に適用する場合には苗を傷めない。【解決手段】棒状部材１と、この棒状部材１の一方の端部から垂下して設けられる固定側面支持部２と、棒状部材１に沿って摺動自在に設けられる摺動枠３と、この摺動枠３から垂下して設けられる可動側面支持部４とからなり、摺動枠３には、この摺動枠を棒状部材に固定するための固定手段５が設けられる。固定側面支持部２と可動側面支持部４とによって、最上部荷物の並列端を挟持して支持する。【選択図】　　　　図３
2004067176.tif 000002
【特許請求の範囲】
【請求項１】
荷台上に並列され且つ積み上げられた荷物の荷崩れ防止具であって、最上部に積み上げられた荷物上に配置され、該荷物の並列方向に延びる棒状部材と、該棒状部材の端部から垂下して前記荷物の並列端における一方の側面を支持する固定側面支持部と、前記棒状部材に沿って摺動自在に設けられた摺動枠と、該摺動枠から垂下して前記荷物の並列端における他方の側面を支持する可動側面支持部とからなり、前記摺動枠に、該摺動枠を前記棒状部材に固定する解除自在な固定手段を設けたことを特徴とする荷崩れ防止具。
【請求項２】
前記固定側面支持部と前記可動側面支持部は、最上部に積み上げられた前記荷物の並列端側面に当接する支持材と前記荷物の下に積まれた荷物の並列端側面に当接する支持板とからなることを特徴とする荷崩れ防止具。
【請求項３】
前記固定手段は、前記摺動枠に装着された一対の軸支板に軸支された偏心押圧体を、前記摺動枠に設けた開口部を介して前記棒状部材に押圧操作させることを特徴とする請求項１又は２に記載の荷崩れ防止具。
【発明の詳細な説明】
【０００１】
【発明の属する技術分野】
本発明は、トラック等の荷台に並列され且つ積み上げられた荷物の荷崩れを防止する荷崩れ防止具に関する。
【０００２】
【従来の技術】
トラック等の荷台に荷物を載せる際には、荷台の面積に応じて荷物を並列させ、更にその上に荷物を積み上げるのが一般的である。この場合、下方側の荷物は荷台の側壁によって支持されるが、最上部の荷物は荷台の側壁から更に上方に積み上げられていることが多く、この最上部の荷物における並列端で荷崩れが生じるという問題がある。
【０００３】
このような荷物の一例として、図５に示すようなビート（砂糖大根）等の苗運搬容器を挙げることができる。同図（ａ）はこの苗運搬容器を並列し且つ積み重ねた状態の正面図、同図（ｂ）はその側面図である。この苗運搬容器５０は、紙筒苗等の苗５０ａが載置された横長の苗載置部５０ｂとその左右両側に設けられ取っ手部を形成する側枠５０ｃとによって形成されており、この苗運搬容器５０を積み重ねるために、その底部には、側枠５０ｃの上部が填り込む嵌合部５０ｄが形成されている。
【０００４】
このような苗運搬容器５０を並列し且つ積み重ねた状態でトラック等の荷台Ａに載せた場合には、最上部の苗運搬容器５０における並列端のもの（５０’で示す）が運搬中に矢印のように両側に倒れる虞がある。このような事態が生じると、長期間掛けて育成した苗を駄目にすることのなるので、その損害は多大なものとなる。
【０００５】
これに対して、荷崩れ対策のための用具は各種提案されている。例えば、特開２００１−１２２２６５号公報に記載のものは、最上部に積み上げられた荷物の周囲に帯状のシートを巻き付け、このシートの先端と基端とを係止部材を介して係止させるものである。また、実開平６−４９３５９号公報に記載されるものは、荷物の下側に下敷きネットを敷くと共に、最上部に積み上げられた荷物の上から荷物包皮ネットを被せて、上下のネットを結合させるものである。
【０００６】
【発明が解決しようとする課題】
このような従来の荷崩れ防止用具によると、帯状シートを最上部に積み上げられた荷物の周囲に巻き付けるものでは、荷物の並列数が変わった場合に、それに対応したシート長さの調整ができないという不都合がある。したがって、荷物の並列数が頻繁に変わる場合には、それに応じて複数の帯状シートを用意する必要があり、積み荷形態に応じた汎用性に欠けるという問題がある。また、後者の下敷きネットと荷物包皮ネットとを結合させるものの場合には、下敷きネットを敷く作業が繁雑であると共に、積み荷を降ろす際にネットの結合を解いてネットを荷物から外すという繁雑な作業が必要であり、作業性に問題がある。
【０００７】
また、前述の苗運搬容器を荷物とする場合には、最上部の容器上には苗が露出しているので、この苗をできるだけ傷めないことが要求されており、この要求を満たし、且つ荷物の並列数に応じた調整が可能で、しかも取り付け・取り外し作業を簡易に行うことができる荷崩れ防止具が求められている。
【０００８】
本発明は、このような事情に対処するために提案されたものであって、荷物の並列状態に応じた調整が容易で、取り付け・取り外し作業を簡単に行うことができ、しかも軽量且つ安価であると共に、前述した苗運搬容器に適用する場合には苗を傷めることがない荷崩れ防止具を提供することを目的とするものである。
【０００９】
【課題を解決するための手段】
このような目的を達成するために、本発明による荷崩れ防止具は、第１に、荷台上に並列され且つ積み上げられた荷物の荷崩れ防止具であって、最上部に積み上げられた荷物上に配置され、該荷物の並列方向に延びる棒状部材と、該棒状部材の端部から垂下して前記荷物の並列端における一方の側面を支持する固定側面支持部と、前記棒状部材に沿って摺動自在に設けられた摺動枠と、該摺動枠から垂下して前記荷物の並列端における他方の側面を支持する可動側面支持部とからなり、前記摺動枠に、該摺動枠を前記棒状部材に固定する解除自在な固定手段を設けたことを特徴とする。
【００１０】
また、第２に、前述した荷崩れ防止具を前提として、前記固定側面支持部と前記可動側面支持部は、最上部に積み上げられた前記荷物の並列端側面に当接する支持材と前記荷物の下に積まれた荷物の並列端側面に当接する支持板とからなることを特徴とする。
【００１１】
また、第３に、前述した荷崩れ防止具を前提として、前記固定手段は、前記摺動枠に装着された一対の軸支板に軸支された偏心押圧体を、前記摺動枠に設けた開口部を介して前記棒状部材に押圧操作させることを特徴とする。
【００１２】
このような特徴を有する荷崩れ防止具によると、最上部の荷物上に配置された棒状部材の端部から垂下した固定側面支持部が、最上部荷物の並列端における一方の側面に当接し、棒状部材に固定される摺動枠から垂下した可動側面支持部が、最上部荷物の並列端における他方の側面に当接することになるので、固定側面支持部と可動側面支持部によって最上部荷物の両側並列端が挟持されることになる。これによって、１並列状の最上部荷物は一体化した状態になるので、並列端における荷崩れを防止することができる。
【００１３】
また、固定手段によって棒状部材に固定された摺動枠の固定を解除して、摺動枠を棒状部材に沿って移動させると、固定側面支持部と可動側面支持部との間隔を任意に調整することができるので、この間隔の調整で並列数が異なる荷物に対しても一つの用具で対処することができる。
【００１４】
そして、この荷崩れ防止具によると、棒状部材に対して摺動枠を適宜に摺動させて、固定側面支持部と可動側面支持部とによって最上部荷物の並列端を挟持し、摺動枠を固定手段によって棒状部材に固定するという簡単な操作で取り付けが完了し、取り外しも固定手段を解除して固定側面支持部と可動側面支持部との間隔を拡げるだけでよいので、取り付け・取り外しの作業を簡単に行うことができる。
【００１５】
更には、これを最上部荷物に取り付けた状態では、側面視で門型状になり、棒状部材は最上部荷物の上面から離間した状態で保持されることになる。したがって、前述の苗運搬容器のように最上部荷物の上面に苗が露出する様なものに対しても、苗を傷つけることなく用具を装着することができる。
【００１６】
また、固定側面支持部と可動側面支持部を支持材と支持板とによって構成することにより、両支持材が最上部荷物の並列端を挟持し、両支持板が最上部荷物の下に積まれた荷物の並列端を挟持することになるので、上から２段の荷物が１並列状に一体化され、更に強固に荷崩れを防止することが可能になる。
【００１７】
また、前述した固定手段を、摺動枠に装着された一対の軸支板に軸支された偏心押圧体を、前記摺動枠に設けた開口部を介して前記棒状部材に押圧操作させる構造にすることにより、偏心押圧体の押圧によって、簡単に摺動枠を棒状部材に固定することができ、偏心押圧体を棒状部材から離反操作することにより、簡単に固定を解除することができる。
【００１８】
【発明の実施の形態】
以下、本発明の実施形態を図面を参照して説明する。図１は本発明の一実施形態に係る荷崩れ防止具の全体構成を示す説明図である。この荷崩れ防止具は、棒状部材１と、この棒状部材１の一方の端部から垂下して設けられる固定側面支持部２と、棒状部材１に沿って摺動自在に設けられる摺動枠３と、この摺動枠３から垂下して設けられる可動側面支持部４とからなり、摺動枠３には、この摺動枠を棒状部材に固定するための固定手段５が設けられる。また、棒状部材１又は摺動枠３には、必要に応じて、左右垂直方向に延びる支持腕部６Ａ，６Ｂが設けられる。そして、前述の固定側面支持部２と可動側面支持部４は、棒状の支持材２Ａ，４Ａと板状の支持板２Ｂ，４Ｂとによって構成されている。
【００１９】
固定手段５の構造例を示すと、図示のように、摺動枠３に装着された一対の軸支板５Ａ，軸部５Ｂ，偏心押圧体５Ｃ，操作棒５Ｄとからなり、軸支板５Ａに軸部５Ｂによって軸支された偏心押圧体５Ｃが、この偏心押圧体５Ｃから上方に延びる操作棒５Ｄによって固定・解除操作されるものである。図２によって、この固定手段５の機能を説明する。摺動枠３の上面には、偏心押圧体５Ｃが棒状部材１の上面に当接するように開口部３Ａが形成されている。偏心押圧体５Ｃは、円柱体であって、中心から外れた位置で軸部５Ｂに軸支されて軸支板５Ａに装着されている。操作棒５Ｄを実線のように立てた状態にすると、偏心押圧体５Ｃは棒状部材１の上面１Ａから離反して、固定が解除された状態になる。また、操作棒５Ｄを一点破線で示すように倒すと、偏心押圧体５Ｃが開口部３Ａを介して棒状部材１の上面１Ａに押圧され、摺動枠３と棒状部材１とが固定された状態になる。
【００２０】
図３によって、この荷崩れ防止具の使用方法を説明する。トラック等の荷台Ａ上に荷物Ｂが並列され且つ積み上げられた状態で載置されており、この荷物Ｂの最上部の荷物Ｂ１１〜Ｂ１ｎ上に棒状部材１を配置する。そして、前述の固定手段５を解除状態にして、摺動枠３を棒状部材１に沿って摺動させながら、固定側面支持部２と可動側面支持部４との間隔を調整して、一方の並列端の荷物Ｂ１ｎ，Ｂ２ｎの側面に固定側面支持部２を当接支持させ、他方の並列端の荷物Ｂ１１，Ｂ２１の側面に可動側面支持部４を当接支持させる。そして、この状態で固定手段５を固定状態にする。
【００２１】
ここで、固定側面支持部２の支持材２Ａが最上部の荷物Ｂ１ｎの側面に当接し、支持板２Ｂが最上部の荷物Ｂ１ｎとＢ２ｎとの境又は荷物Ｂ２ｎの側面に当接するように配備する。また同様に、可動側面支持部４の支持材４Ａが最上部の荷物Ｂ１１の側面に当接し、支持板４Ｂが最上部の荷物Ｂ１１とＢ２１との境又は荷物Ｂ２１の側面に当接するように配備する。このように配備することにより、最上部の荷物Ｂ１１〜Ｂ１ｎとその下に積まれた荷物Ｂ２１〜Ｂ２ｎとが一体に固定されることになり、最上部並列端の荷物Ｂ１１及びＢ１ｎの荷崩れを完全に防止することができる。
【００２２】
ここで、最上部の荷物Ｂ１１〜Ｂ１ｎの上面と棒状部材１とは離間した状態で配備されているので、荷物Ｂ１１〜Ｂ１ｎの上面に棒状部材１が当接することは無く、この上面を傷つけることがない。
【００２３】
この荷崩れ防止具を取り外す際には、固定手段５を前述したように解除状態にして、摺動枠３を移動させて固定側面支持部２と可動側面支持部４とを離間させるだけでよく、簡単な操作で取り外しを行うことができる。
【００２４】
図４は、このような荷崩れ防止具を図５に示した苗運搬容器５０に採用した使用例を示すものである。前述の説明と同一箇所には同じ符号を付して一部重複した説明を省略する。この使用例では、最上に積み上げた苗運搬容器５０の側面（苗載置部５０ｂ）に支持材４Ａ（２Ａ）が当接し、上から２番目に積み上げられた苗運搬容器５０の側面に支持板４Ｂ（４Ａ）が対向するように配備されている。また、支持腕部６Ａ，６Ｂを側枠５０ｃの上部に支持させて、苗５０ａを傷つけないようにしている。
【００２５】
このような荷崩れ防止具の作用をまとめると、最上部の荷物Ｂ１１〜Ｂ１ｎ上に配置された棒状部材１の端部から垂下した固定側面支持部２が、並列端の荷物Ｂ１ｎの側面に当接してこれを支持し、棒状部材１に固定手段５によって固定される摺動枠３から垂下した可動側面支持部４が、並列端の荷物Ｂ１１の側面に当接してこれを支持することになるので、固定側面支持部２と可動側面支持部４によって最上部荷物Ｂ１１〜Ｂ１ｎの両側並列端が挟持されることになる。これによって、１並列状の最上部荷物Ｂ１１〜Ｂ１ｎは一体化した状態になるので、並列端の荷物Ｂ１１，Ｂ１ｎの荷崩れを防止することができる。
【００２６】
また、固定手段５によって棒状部材１に固定された摺動枠３の固定を解除して、摺動枠３を棒状部材１に沿って移動させると、固定側面支持部２と可動側面支持部４との間隔を任意に調整することができるので、この間隔の調整で並列数が異なる荷物に対しても一つの用具で対処することができる。
【００２７】
そして、この荷崩れ防止具によると、棒状部材１に対して摺動枠３を適宜に摺動させて固定側面支持部２と可動側面支持部４とによって最上部荷物の並列端を挟持し、摺動枠３を固定手段５によって棒状部材１に固定するという簡単な操作で取り付けが完了し、取り外しも固定手段を解除して固定側面支持部２と可動側面支持部４との間隔を拡げるだけでよいので、取り付け・取り外しの作業を簡単に行うことができる。
【００２８】
更には、最上部荷物Ｂ１１〜Ｂ１ｎに取り付けた状態では、側面視で門型状になり、棒状部材１は最上部荷物Ｂ１１〜Ｂ１ｎの上面から離間した状態で保持されることになる。したがって、前述の苗運搬容器５０のように最上部荷物の上面に苗５０ａが露出する様なものに対しても、苗を傷つけることなく用具を装着することができる。
【００２９】
また、固定側面支持部２と可動側面支持部４を支持材２Ａ，４Ａと支持板２Ｂ，４Ｂとによって構成することにより、両支持材２Ａ，４Ａが最上部荷物Ｂ１１〜Ｂ１ｎの並列端を挟持し、両支持板２Ｂ，４Ｂが最上部荷物の下に積まれた荷物Ｂ２１〜Ｂ２ｎの並列端を挟持することになるので、上から２段の荷物が１並列状に一体化され、更に強固に荷崩れを防止することが可能になる。
【００３０】
【発明の効果】
本発明はこのように構成されるので、荷物の並列状態に応じた調整が容易で、取り付け・取り外し作業を簡単に行うことができ、しかも軽量且つ安価であると共に、前述した苗運搬容器に適用する場合には苗を傷めることがない。
【図面の簡単な説明】
【図１】本発明の実施形態に係る荷崩れ防止具の全体構想を示す説明図である。
【図２】本発明の実施形態に係る荷崩れ防止具の固定手段の機能を説明する説明図である。
【図３】本発明の実施形態に係る荷崩れ防止具の使用方法を説明する説明図である。
【図４】本発明の実施形態に係る荷崩れ防止具の使用例を示す説明図である。
【図５】従来技術の説明図である。
【符号の説明】
１　棒状部材
２　　個体側面支持部
２Ａ　支持材
２Ｂ　支持板
３　摺動枠
４　可動側面支持部
４Ａ　支持材
４Ｂ　支持板
５　固定手段
【図１】
2004067176.tif 000003
【図２】
2004067176.tif 000004
【図３】
2004067176.tif 000005
【図４】
2004067176.tif 000006
【図５】
2004067176.tif 000007